(57)【要約】【課題】複数の方向の力に対して側板の強度を保ち、筐体側面の強度を確保し、振動や騒音の低減を図る。【解決手段】洗濯機１は、筐体２の側面を構成するものであって、当該筐体２の側面を補強するためのビード５１が設けられた側板３，４を備える。側板３，４を補強するためのビード５１が途中で曲がっているので、複数の方向の力に対して側板３，４の強度を保つことができ、筐体２の側面の強度を確保することができ、振動や騒音の低減を図ることができる。【選択図】図１
2011041646.tif 000002
【特許請求の範囲】
【請求項１】
筐体の側面を構成するものであって、当該筐体の側面を補強するためのビードが設けられた側板を備え、
前記ビードは、途中で曲がっていることを特徴とする洗濯機。
【請求項２】
前記ビードが曲がる角度は、前記筐体内に配設された水槽の軸の角度と同じであることを特徴とする請求項１記載の洗濯機。
【請求項３】
前記ビードは、前部が長く後下がりに傾斜し、後部が短く水平に延びていることを特徴とする請求項１または請求項２に記載の洗濯機。
【請求項４】
前記ビード内には平面部が設けられ、
前記平面部に、使用者の手指を掛けるための手掛け部が設けられていることを特徴とする請求項１から請求項３の何れか１項に記載の洗濯機。
【請求項５】
前記ビードおよび前記手掛け部はそれぞれ複数設けられ、
前記手掛け部は、それぞれ異なる前記ビードに設けられていることを特徴とする請求項４記載の洗濯機。
【請求項６】
前記筐体内の前方下部に設けられ、前記筐体内に配設された水槽内の水を循環させるための循環ポンプと、
前記筐体内の後方上部に設けられ、前記水槽内に回転可能に配設された回転槽を回転させるための洗濯機モータとを備え、
前記側板の上部に設けられる前記ビードは、当該ビードの後方側で曲がっており、
前記側板の下部に設けられる前記ビードは、当該ビードの前方側で曲がっていることを特徴とする請求項１から請求項５の何れか１項に記載の洗濯機。
【発明の詳細な説明】
【技術分野】
【０００１】
本発明は、筐体の側面に補強用のビードが設けられた洗濯機に関する。
【背景技術】
【０００２】
従来より、ドラム式の洗濯機では、筐体の側面を構成する側板に補強用のビードを設け、筐体側面の強度確保と、運転時に発生する振動や騒音の低減を図るようにしている（例えば、特許文献１参照）。
【先行技術文献】
【特許文献】
【０００３】
【特許文献１】特開２００６−２０４７１６号公報
【発明の概要】
【発明が解決しようとする課題】
【０００４】
上記特許文献１の構造では、ビードは縦方向（上下方向）の１方向のみに延びている。従って、ビードが延びる方向とは異なる方向（特にビードと垂直な方向）の力に対しては側板の強度を保つことができず、筐体側面の強度を確保したり、振動や騒音の低減を図ることが困難であった。
【０００５】
本発明は上記事情に鑑みてなされたものであり、その目的は、複数の方向の力に対して側板の強度を保つことができ、これにより、筐体側面の強度を確保することができ、振動や騒音の低減を図ることができる洗濯機を提供することにある。
【課題を解決するための手段】
【０００６】
本発明の洗濯機は、筐体の側面を構成するものであって、当該筐体の側面を補強するためのビードが設けられた側板を備え、前記ビードは、途中で曲がっていることに特徴を有する。
【発明の効果】
【０００７】
本発明の洗濯機によれば、筐体の側面を構成する側板を補強するためのビードが途中で曲がっているので、複数の方向（少なくとも上下方向および前後方向の２方向）の力に対して側板の強度を保つことができる。これにより、筐体側面の強度を確保することができ、振動や騒音の低減を図ることができる。
【図面の簡単な説明】
【０００８】
【図１】本発明の一実施形態を示すものであり、洗濯機の外観を示す斜視図
【図２】洗濯機の側面図
【図３】洗濯機の内部構成を示す縦断側面図
【図４】側板の一部を拡大して示す断面図
【図５】手掛け部を示す斜視図
【発明を実施するための形態】
【０００９】
以下、本発明の一実施形態について図面を参照して説明する。図１は、洗濯機１の全体的な外観を示す斜視図であり、図２は、洗濯機１の右側面を示す側面図である。図１，図２に示すように、洗濯機１の外郭を構成する筐体２は、側板３，４と、基台５と、天板６と、前面カバー７と、底部カバー８と、背面板９とを備えて構成され、全体として略矩形箱状をなしている。
【００１０】
側板３，４は、例えば鉄板から形成され、筐体２の左右の両側面を構成する。基台５は、樹脂から形成され、筐体２の下部において、洗濯機１全体を支える土台としての機能を有する。天板６は、樹脂から形成され、洗濯機１の上面を構成する。天板６には、給水口１０が設けられている。
【００１１】
前面カバー７は、樹脂から形成され、全体として、前方に凸となるように滑らかに湾曲した形状をなしている。前面カバー７の中央部には、円形の開口部７ａが設けられているとともに、この開口部７ａを開閉するための扉１２がヒンジ部（図示せず）に枢支された状態で設けられている。また、扉１２の近傍に位置して当該扉１２を開くための開扉ボタン１３が設けられている。
【００１２】
前面カバー７の上部には、操作パネル１４および洗濯用剤投入ケース１５が設けられている。操作パネル１４は、前面カバー７の裏側に設けられた制御装置１６（図３参照）に接続されている。また、操作パネル１４には、運転コースを選択したり運転を開始させるための各種のスイッチが設けられており、ユーザは、この操作パネル１４を操作することにより、洗濯運転コースなどの運転コースを選択して実行させることができる。なお、制御装置１６は、マイクロコンピュータを中心としてＲＯＭ，ＲＡＭなどを備えて構成されており、各種運転コースの制御のほか、後述する洗濯機モータ２７や循環ポンプ３５（図３参照）の駆動制御など、洗濯機１の動作全般を制御するものである。洗濯用剤投入ケース１５内部には複数の部屋（図示せず）が形成されており、部屋ごとに各種の洗濯用剤（洗剤，柔軟剤，漂白剤など）を収容可能となっている。そして、各部屋に収容された洗濯用剤を運転中に自動的に投入できるようになっている。
【００１３】
底部カバー８は、樹脂から形成され、洗濯機１の前面下部に着脱可能に設けられている。例えば洗濯機１の真下に排水管を設置する場合に、この底部カバー８を取り外すことにより、洗濯機１の底部を容易に操作することができるようになっている。また、底部カバー８には、フィルタ蓋１７が設けられている。
【００１４】
図２に示すように、背面板９は、上部フレーム９ａと、下部フレーム９ｂと、裏蓋９ｃとから構成されている。上部フレーム９ａは、例えば鉄板から形成され、筐体２の背面上部を構成する。下部フレーム９ｂは、例えば鉄板から形成され、筐体２の背面下部を構成する。裏蓋９ｃは、例えば鉄板から形成され、上部フレーム９ａと下部フレーム９ｂとの間に着脱可能に設けられている。
【００１５】
次に、洗濯機１の内部構成について図３を参照して説明する。図３は、洗濯機１の内部構成を概略的に示す縦断側面図である。
図３に示すように、洗濯機１の筐体２の内部には、水槽１８、ドラム１９（回転槽に相当）、フィルタケース２０などが備えられている。
水槽１８は、前面側（図３では左側）が開口した有底円筒状をなしており、その前面側（開口した側）を若干上方に向けて傾斜させて扉１２に対向させた横軸状の態様で、サスペンション２４により基台５に弾性支持されている。この場合、水槽１８は、その中心軸１８ｓの傾斜角度αが水平方向（洗濯機１の前後方向）に対して所定角度（約１５度）を有して後方に向かって下降（前方に向かって上昇）するようにして配設されている。また、水槽１８の前面側（開口した側）には、水槽１８の開口径よりも若干径小となる開口部２５ａを有する水槽カバー２５が備えられており、この開口部２５ａがベロー２６を介して前面カバー７の開口部７ａに連結されている。
【００１６】
ドラム１９は、前面側（図３では左側）が開口した有底円筒状をなしており、その前面側（開口した側）を若干上方に向けて傾斜させて扉１２に対向させた横軸状の態様で、水槽１８の内部に当該水槽１８と同軸状に配置されている。従って、ドラム１９も、その中心軸１９ｓの傾斜角度αが水平方向（洗濯機１の前後方向）に対して所定角度（約１５度）を有して後方に向かって下降（前方に向かって上昇）するようにして配設されている。ドラム１９の内周壁には、多数の貫通した透孔１９ａ（一部のみ図示）が形成されているとともに、洗濯物を掻き揚げるためのバッフル１９ｂが設けられている。このバッフル１９ｂは、水槽１８（ドラム１９）の軸線に沿うようにして前後方向に蛇行して延びるとともにドラム１９の回転中心側に突出している。ドラム１９の前面開口部の周囲部内側には、例えば液体封入形の回転バランサ１９ｃが設けられている。
【００１７】
ドラム１９は、水槽１８の背面側（図１では右側）に配置された洗濯機モータ２７の回転軸２７ａに連結され、水槽１８内に回転可能に配設されている。洗濯機モータ２７は、アウターロータ型のブラシレスＤＣモータで構成され、ステータ２７ｂおよびロータ２７ｃを有している。ステータ２７ｂは、水槽１８の背面の外側に取り付けられ、ロータ２７ｃの中心部に回転軸２７ａが設けられている。回転軸２７ａは、軸受ブラケット２８に軸受２９を介して支承されて水槽１８の内部に挿通されている。洗濯機モータ２７は、ドラム１９を回転させるための駆動源として機能する。このように構成された洗濯機モータ２７は、筐体２内の後方部において中段部よりも若干上方の部分（筐体２内の後方上部）に配設されている。
【００１８】
水槽１８の背面側の底部には、取水口を兼用する排水口３０が形成されている。この排水口３０には、機内排水ホース３１の一端部が接続されている。また、機内排水ホース３１の他端部は、フィルタケース２０の機内排水ホース接続口２０ａに接続されている。
【００１９】
フィルタケース２０は、洗濯機の筐体２内の前方下部、具体的には前側底部の右側部分に配設されている。フィルタケース２０は、上部に機内排水ホース接続口２０ａが形成されている。フィルタケース２０の内部には、キャップ３２と一体のリントフィルタ（図示せず）が収納されるようになっている。このリントフィルタは、底部カバー８のフィルタ蓋１７を開くことによって、フィルタケース２０内に着脱可能に挿入される。また、フィルタケース２０の下部には、排水弁３３が接続されており、この排水弁３３の出口部に排水パイプ３４が接続されている。排水パイプ３４の先端部は、筐体２の基台５から機外に延び、図示しない機外排水ホースに接続されるようになっている。
【００２０】
一方、フィルタケース２０の後端部には、循環ポンプ３５が設けられている。この循環ポンプ３５は、水槽１８（ドラム１９）内の水を、排水口３０および機内排水ホース３１を介してフィルタケース２０内に吸引する。フィルタケース２０は、リントフィルタ（図示せず）が収納されるケースとして機能するとともに、水槽１８から流入した水を溜めるためのタンクとしても機能するようになっている。循環ポンプ３５は、周側部（図では上部）に吐出口３５ａが形成され、この吐出口３５ａに送水ホース３６の一端部が接続されている。送水ホース３６は、中間部がベロー２６の周側方から上方へ延びており、先端部が水槽１８の開口部２５ａの上部に形成された放水口たる噴水ノズル３７に接続されている。この噴水ノズル３７は、ドラム１９の内部のうち特に後半部分に噴水するように取り付けられている。
【００２１】
このような構成により、排水口３０と噴水ノズル３７とをつなぐようにして水槽１８内に連通する循環経路３８が形成される。即ち、この循環経路３８は、水槽１８の排水口３０から、機内排水ホース３１、フィルタケース２０、送水ホース３６および噴水ノズル３７を介して水槽１８に戻るように形成され、循環ポンプ３５が循環経路３８の途中に位置するように設けられている。
【００２２】
循環ポンプ３５は、水槽１８内の水を、排水口３０から機内排水ホース３１を介してフィルタケース２０内に吸引し、当該フィルタケース２０内に流入した水を圧送して、送水ホース３６を介して噴水ノズル３７からドラム１９内に向かってシャワー状に放出する。このようにして、循環ポンプ３５は、水槽１８内の水を循環経路３８を通して循環させるようになっている。
【００２３】
フィルタケース２０の前部の上部には、エアトラップ３９が設けられている。このエアトラップ３９は、筐体２内の最上部に配設した水位センサ４０に、エアチューブ４１によって接続されている。水位センサ４０は、水槽１８内の水位を、機内排水ホース３１、フィルタケース２０、エアトラップ３９およびエアチューブ４１を介して検出するようになっている。
【００２４】
筐体２内の最上部には、給水弁４２および給水ケース４３が設けられている。給水弁４２の入口部には、給水口１０が接続され、この給水口１０には、図示しない水道の蛇口に接続した機外給水ホース（図示せず）が接続される。給水弁４２の出口部には、接続パイプ４４の一端部が接続されている。接続パイプ４４の他端部は、給水ケース４３に接続されている。給水ケース４３の内部には、洗濯用剤投入ケース１５（図１，図２参照）が収容されるようになっている。この給水ケース４３には、機内給水ホース４５の一端部が接続され、機内給水ホース４５の他端部が水槽１８の上部に接続されている。このような構成により、水道から給水口１０および給水弁４２を介して供給される水は、接続パイプ４４、給水ケース４３および機内給水ホース４５を介して水槽１８内に供給される。
【００２５】
上記構成の洗濯機１の側面を構成する側板３，４には、補強用のビードが設けられている。次に、このビードの構成について説明する。なお、側板４に設けられたビード（図示せず）は、図１，図２に示す側板３に設けられたビード５１と同様の構成となっている。ここでは、側板３側のビード５１のみについて説明し、側板４側のビードについての説明は省略する。
【００２６】
ビード５１は、側板３を洗濯機１（筐体２）の内方に凹状に形成してなるものであり、側板３に複数設けられている。図４に示すように、これらビード５１は、その内部の殆どの部分が側板３と同じ板厚を有する断面直線状の平面部分となっており、この平面部分を除く部分（内周部）が湾曲した形状となっている。つまり、ビード５１は、側板３の一部を一般によく見られるような単にドーム状にへこませた形状ではなく、当該ビード５１を構成する殆どの部分を平面状に維持したままへこませた形状となっている。
【００２７】
特に図２に示すように、これらビード５１のうち、側板３の中段部および当該中段部よりも上方部分に設けられた複数のビード５１Ａは、何れも途中で曲がった形状となっている。即ち、これらビード５１Ａは、前部が長く後下がり（前上がり）に傾斜した傾斜ビード部５１Ａａとなっており、後部が短く水平方向（洗濯機１の前後方向）に延びた水平ビード部５１Ａｂとなっている。従って、ビード５１Ａは、その変曲部５１Ａｃ（ビード５１Ａが曲がる部分、つまり、傾斜ビード部５１Ａａと水平ビード部５１Ａｂとの境界部分）を、当該ビード５１Ａの後方側に有している。このようなビード５１Ａは、その変曲部５１Ａｃを、筐体２内の洗濯機モータ２７の近傍に位置して有したものとなっている。
【００２８】
一方、側板３の下段部に設けられたビード５１Ｂは、途中で曲がった形状となっている。即ち、このビード５１Ｂは、前部が短く水平方向（洗濯機１の前後方向）に延びた水平ビード部５１Ｂａとなっており、後部が長く後下がり（前上がり）に傾斜した傾斜ビード部５１Ｂｂとなっている。従って、ビード５１Ｂは、その変曲部５１Ｂｃ（ビード５１Ｂが曲がる部分、つまり、水平ビード部５１Ｂａと傾斜ビード部５１Ｂｂとの境界部分）を、当該ビード５１Ｂの前方側に有している。このようなビード５１Ｂは、その変曲部５１Ｂｃを、筐体２内の循環ポンプ３５の近傍に位置して有したものとなっている。
【００２９】
側板３のうちビード５１Ａとビード５１Ｂとの間の部分には、ビード５１Ｃ，ビード５１Ｄが設けられている。ビード５１Ｃは、前部が長く後下がり（前上がり）に傾斜した傾斜ビード部５１Ｃａとなっており、後部が平面部５１Ｃｂとなっている。平面部５１Ｃｂは、上記したビード５１Ａの水平ビード部５１Ａｂの一部（下部）を、傾斜ビード部５１Ｃａの傾斜方向に沿うようにして下方に先細状に延出した形状となっている。従って、平面部５１Ｃｂは、ビード５１Ａの水平ビード部５１Ａｂよりも広い面積を有する平面部分となっている。この平面部５１Ｃｂには、洗濯機１本体を持ち上げたり移動するときに使用者の手指を掛けるための手掛け部５２が取り付けられている。
【００３０】
図５に示すように、手掛け部５２は、全体としてドーム状をなす手掛け本体部５２ａと、４隅が滑らかに丸まったほぼ矩形状をなす開口部５２ｂとを有している。図４に示すように、手掛け本体部５２ａは、開口部５２ｂから上方に向かって傾斜するように形成されている。また、手掛け本体部５２ａの上面および下面には、手掛け部５２を側板３（ビード５１の平面部分）に固定するための爪部５２ｃが設けられている。この爪部５２ｃは、手掛け部５２の長手方向に沿って延びており、図４に示すように、ビード５１の平面部分に設けられた取付孔５３に係止するようになっている。
【００３１】
ビード５１Ｄは、前部が平面部５１Ｄａとなっており、後部が長く後下がり（前上がり）に傾斜した傾斜ビード部５１Ｄｂとなっている。平面部５１Ｄａは、上記したビード５１Ｂの水平ビード部５１Ｂａの一部（上部）を、傾斜ビード部５１Ｄｂの傾斜方向に沿うようにして上方に先細状に延出した形状となっている。従って、平面部５１Ｄａは、ビード５１Ｂの水平ビード部５１Ｂａよりも広い面積を有する平面部分となっている。この平面部５１Ｄａには、使用者の手指を掛けるための手掛け部５２（図４，図５参照）が取り付けられている。
【００３２】
側板３の最上段に設けられたビード５１Ｅは、後部が矩形状に形成され、前部が前方に向かって徐々に先細状となっている。ビード５１Ｅの後部は、前部よりも広い面積を有する平面部５１Ｅａとなっており、この平面部５１Ｅａには、使用者の手指を掛けるための手掛け部５２（図４，図５参照）が取り付けられている。
側板３の最下段に設けられたビード５１Ｆは、前部が矩形状に形成されており、後部が後方に向かって徐々に先細状となっている。
【００３３】
また、ビード５１Ａの傾斜ビード部５１Ａａ，ビード５１Ｂの傾斜ビード部５１Ｂｂ，ビード５１Ｃの傾斜ビード部５１Ｃａ，ビード５１Ｄの傾斜ビード部５１Ｄｂの傾斜角度は、水槽１８の中心軸１８ｓの傾斜角度α（図３参照）と同じである。また、上記したビード５１は、何れも端部が滑らかに丸まった形状をなしている。
【００３４】
このようなビード５１が設けられた洗濯機１によれば、以下の効果を得ることができる。
筐体２の側面を構成する側板３，４を補強するためのビード５１が途中で曲がっているので、複数の方向（少なくとも洗濯機１（筐体２）の上下方向および前後方向の２方向）の力に対して側板３，４の強度を保つことができる。これにより、従来の構成に比べ、筐体２の側面の強度を確保することができ、振動や騒音の低減を図ることができる。
【００３５】
また、ドラム１９の回転に伴い水槽１８に発生する振動は、当該水槽１８の中心軸１８ｓ方向（図３参照）と垂直な方向に発生し易い。これに対して、ビード５１が曲がる角度（例えば、ビード５１Ａの傾斜ビード部５１Ａａが水平ビード部５１Ａｂに対して傾斜する角度）は、筐体２内に配設された水槽１８の中心軸１８ｓの傾斜角度と同じである。従って、水槽１８に発生した軸方向と垂直な方向の振動が、サスペンション２４、基台５などを介して側板３，４に伝達された場合に、その振動を傾斜ビード部５１Ａａおよび水平ビード部５１Ａｂに沿って２方向に逃がすことができる。また、その振動に対して傾斜ビード部５１Ａａおよび水平ビード部５１Ａｂによって側板３，４の強度を保つことができる。従って、筐体２の側面の強度を一層高くすることができ、振動や騒音を一層低減することができる。なお、このような効果は、ビード５１Ａと同様に途中で曲がっているビード５１Ｂ，５１Ｃ，５１Ｄによっても奏される。
【００３６】
また、前面が湾曲した前面カバー７からなる洗濯機１では、水槽１８に発生した軸方向と垂直な方向の振動が前面カバー７に伝達された場合に、その振動によって、当該前面カバー７を上下に圧縮，伸長する力が発生する。そして、このような上下方向の力が前面カバー７に作用すると、当該前面カバー７に前後方向（前面カバー７の湾曲面に対して法線方向）の力が働くようになる。このような前後方向の力も、途中で曲がっているビード５１に沿って逃がすことができる。また、このような前後方向の力に対してビード５１によって側板３，４の強度を保つことができる。従って、筐体２の側面の強度を一層高くすることができ、振動や騒音を一層低減することができる。
【００３７】
また、特にビード５１Ａは、前部が長く後下がりに傾斜した傾斜ビード部５１Ａａとなっており、後部が短く水平方向に延びた水平ビード部５１Ａｂとなっている。これにより、筐体２内（側板３，４の内面）に発生した結露水を、傾斜ビード部５１Ａａの内面に沿って後方（水平ビード部５１Ａｂ側）に導くことができる。これにより、筐体２内に発生した結露水が、筐体２内の前部に備えられた電装品などを濡らしてしまうことを極力防止することができる。また、傾斜ビード部５１Ａａの内面に沿って導かれた結露水を、水平方向に延びる水平ビード部５１Ａｂの内面に、ある程度溜めることができる。これにより、筐体２内底部が濡れてしまうことを極力防止することができる。
【００３８】
ビード５１は、側板３，４の一部を、その殆どの部分を平面状に維持したままへこませることによって形成されていることから、その大部分を占める平面部分は引き延ばされることなく板厚（有効板厚）が維持されている。これに対して、ビード５１内の平面部分を除く部分（内周部）は、湾曲状に引き延ばされており、その部分の板厚（有効板厚）が減少している。そこで、本実施形態の洗濯機１では、ビード５１内に設けられた平面部分、即ち、有効板厚が減少しておらず強度が高い平面部分（本実施形態では、ビード５１Ｃの平面部５１Ｃｂ、ビード５１Ｄの平面部５１Ｄａ、ビード５１Ｅの平面部５１Ｅａ）に手掛け部５２を取り付けた。これにより、使用者が手指を掛ける手掛け部５２の周囲部分、即ち、洗濯機１の移動時などに大きな負荷がかかる部分の強度を高く維持することができる。
【００３９】
また、同一のビードに複数の手掛け部を取り付けた構成では、ビードに複数の取付孔（図４に示す取付孔５３参照）を設けなければならず、側板の強度が弱くなってしまうおそれがある。これに対して、本実施形態の洗濯機１では、手掛け部５２を、それぞれ異なるビード５１Ｃ，５１Ｄ，５１Ｅに設けた。つまり、１つのビードに対して１つの手掛け部５２を取り付けるようにした。これにより、側板３，４の強度が弱まることを極力回避することができる。
【００４０】
また、側板３，４の上部に設けられるビード５１Ａは、変曲部５１Ａｃを当該ビード５１Ａの後方側に有している。つまり、ビード５１Ａの変曲部５１Ａｃは、筐体２内の後方上部に配設された洗濯機モータ２７の近傍に設けられている。一方、側板３，４の下部に設けられるビード５１Ｂは、変曲部５１Ｂｃを当該ビード５１Ｂの前方側に有している。つまり、ビード５１Ｂの変曲部５１Ｂｃは、筐体２内の前方下部に配設された循環ポンプ３５の近傍に設けられている。
【００４１】
ここで、洗濯機モータ２７や循環ポンプ３５は、何れも駆動に伴って振動する振動源となるものである。本実施形態の洗濯機１は、このような振動源の近傍に、ビード５１Ａの変曲部５１Ａｃ，ビード５１Ｂの変曲部５１Ｂｃを有した構成となっている。従って、振動源の振動に伴い発生する筐体２内の空気の振動（音波）を、ビード５１Ａの変曲部５１Ａｃ、或いは、ビード５１Ｂの変曲部５１Ｂｃから複数の方向（主として、傾斜ビード部５１Ａａ，５１Ｂｂの傾斜方向および水平ビード部５１Ａｂ，５１Ｂａの水平方向の２方向）に沿って逃がすことができ、振動源から伝わる空気の振動に対する側板３，４の強度を確保することができる。また、振動源から伝わる空気の振動によって側板３，４が共振してしまうことを防止することができる。
【００４２】
ビード５１は、側板３，４の一部を、その殆どの部分を平面状に維持したままへこませた形状となっている。従って、側板の一部を単にドーム状にへこませることによってビードを形成した構成に比べ、ビード５１の厚さ（深さ）が小さくなり、省スペース化を図ることができる。
【００４３】
なお、本発明は、上述の一実施形態にのみ限定されるものではなく、例えば次のように変形または拡張することができる。
ビード５１の数は、適宜変更して実施することができる。
ビード５１は、側板３，４の外方に凸状に形成してもよい。
水槽１８の中心軸１８ｓの傾斜角度αは適宜変更して実施することができ、その傾斜角度αに応じてビード５１の曲がる角度を設定すればよい。
【００４４】
筐体２内の振動源は、洗濯機モータ２７や循環ポンプ３５に限られるものではない。筐体２内に振動源になり得るものを設けた場合には、当該振動源の近傍にビード５１の変曲部を設けるようにするとよい。
本実施形態では、水槽１８の軸方向が横方向となる横軸型のドラム式の洗濯機１を例示したが、本発明は、水槽の軸方向が縦方向となる縦軸型の洗濯機にも適用することができる。
【符号の説明】
【００４５】
図面中、１は洗濯機、２は筐体、３，４は側板、１８は水槽、１９はドラム（回転槽）、２７は洗濯機モータ、３５は循環ポンプ、５１はビード、５１Ｃｂ，５１Ｄａ，５１Ｅａは平面部、５２は手掛け部を示す。
【図１】
2011041646.tif 000003
【図２】
2011041646.tif 000004
【図３】
2011041646.tif 000005
【図４】
2011041646.tif 000006
【図５】
2011041646.tif 000007